(57)【要約】【課題】端末装置の認証において情報セキュリティを保ちつつ、入力操作が容易で、入力ミスを起こし難いこと【解決手段】情報共有表示装置１００は、端末装置２０１、２０２、２０３を認証し、認証した端末装置に情報共有用の画像を表示する。情報共有表示装置１００の表示部は、色または図形の少なくとも一方による認証パターンを指定する画像を表示する。情報共有表示装置１００の認証情報受信部は、端末装置から認証情報を受信する。情報共有表示装置１００の認証照合部は、認証情報と認証パターンを表す情報とから、端末装置にて認証パターンが入力されたか否かを判定することで、端末装置の認証可否を判定する。【選択図】図１
2008197977.tif 000002
【特許請求の範囲】
【請求項１】
端末装置を認証し、認証した前記端末装置に情報共有用の画像を表示させる情報共有表示装置において、
色または図形の少なくとも一方による認証パターンを指定する画像を表示する表示手段と、
前記端末装置から認証情報を受信する認証情報受信手段と、
前記認証情報と前記認証パターンを表す情報とから、前記端末装置にて前記認証パターンが入力されたか否かを判定することで、前記端末装置の認証可否を判定する認証照合手段と
を具備することを特徴とする情報共有表示装置。
【請求項２】
前記認証情報は、音声データであり、
前記認証照合手段は、前記音声データを音声認識した結果と前記認証パターンを表す情報とから、前記端末装置にて前記認証パターンが入力されたか否かを判定することで、前記端末装置の認証可否を判定すること
を特徴とする請求項１に記載の情報共有表示装置。
【請求項３】
前記認証パターンを表す情報を生成する認証パターン生成手段を具備することを特徴とする請求項１または請求項２のいずれかの項に記載の情報共有表示装置。
【請求項４】
認証情報を入力するための認証入力パターンを表す情報を、前記認証パターンを表す情報に基づき生成し、該認証入力パターンを表す情報を前記端末装置に送信する認証入力パターン送信手段を具備することを特徴とする請求項３に記載の情報共有表示装置。
【請求項５】
端末装置を認証し、認証した前記端末装置に情報共有用の画像を表示させる情報共有表示装置が具備するコンピュータを、
色または図形の少なくとも一方による認証パターンの入力を促す画像を表示する表示手段、
前記端末装置から認証情報を受信する認証情報受信手段、
前記認証情報と前記認証パターンを表す情報とから、前記端末装置にて前記認証パターンが入力されたか否かを判定することで、前記端末装置の認証可否を判定する認証照合手段
として機能させるプログラム。
【請求項６】
情報共有表示装置により認証されることにより、前記情報共有表示装置から受信した情報に基づき情報共有用の画像を表示する端末装置において、
認証情報を入力するための画像である色または図形による認証入力パターンを表示する表示手段と、
前記表示した認証入力パターンの部分の指定の入力を順次受け付け、受け付けた内容に応じた認証情報を生成する認証情報入力手段と、
前記認証情報入力手段が生成した認証情報を、前記情報共有表示装置に送信する認証情報送信手段と
を具備することを特徴とする端末装置。
【請求項７】
前記認証入力パターンを表す情報を前記情報共有表示装置から受信する認証入力パターン受信手段を具備し、
前記表示手段は、前記認証入力パターンを表す情報に基づき、前記認証入力パターンを表示することを特徴とする請求項６に記載の端末装置。
【請求項８】
前記認証情報入力手段は、前記表示手段が認証入力パターンを表示する領域を検出領域に含むタッチパネルインターフェースを具備し、前記表示手段が表示させた認証入力パターンの表示領域のうち触れられた領域を順次検出し、この検出内容に基づき認証情報を生成することを特徴とする請求項６または請求項７に記載の端末装置。
【請求項９】
情報共有表示装置により認証されることにより前記情報共有表示装置から受信した情報に基づき情報共有用の画像を表示する端末装置において、
前記情報共有表示装置が表示した色または図形による認証パターンに基づく音声の入力を受け付け、該受け付けた音声を音声認識して認証情報を生成する認証情報入力手段と、
前記認証情報入力手段が生成した認証情報を、前記情報共有表示装置に送信する認証情報送信手段と
を具備することを特徴とする端末装置。
【請求項１０】
情報共有表示装置により認証されることにより前記情報共有表示装置から受信した情報に基づき情報共有用の画像を表示する端末装置が具備するコンピュータを、
認証情報を入力するための画像である色または図形による認証入力パターンを表示する表示手段、
前記表示された認証入力パターンの部分の指定の入力を順次受け付け、受け付けた内容に応じた認証情報を生成する認証情報入力手段、
前記認証情報入力手段が生成した認証情報を、前記情報共有表示装置に送信する認証情報送信手段
として機能させるプログラム。
【請求項１１】
情報共有表示装置により認証されることにより前記情報共有表示装置から受信した情報に基づき情報共有用の画像を表示する端末装置が具備するコンピュータを、
前記情報共有表示装置が表示した色または図形による認証パターンに基づく音声の入力を受け付け、該受け付けた音声を音声認識して認証情報を生成する認証情報入力手段、
前記認証情報入力手段が生成した認証情報を、前記情報共有表示装置に送信する認証情報送信手段
として機能させるプログラム。
【請求項１２】
端末装置を認証し、認証した前記端末装置に情報共有用の画像を表示する情報共有表示装置と、前記端末装置とを具備する情報共有表示システムにおいて、
前記情報共有表示装置は、
色または図形の少なくとも一方による認証パターンを指定する画像を表示する表示手段と、
前記端末装置から認証情報を受信する認証情報受信手段と、
前記認証情報と前記認証パターンを表す情報とから、前記端末装置にて前記認証パターンが入力されたか否かを判定することで、前記他の情報共有表示装置の認証可否を判定する認証照合手段と
を具備し、
前記端末装置は、
認証情報の入力を受け付ける認証情報入力手段と、
前記認証情報入力手段が受け付けた認証情報を、前記情報共有表示装置に送信する認証情報送信手段と
を具備することを特徴とする情報共有表示システム。
【発明の詳細な説明】
【技術分野】
【０００１】
本発明は、情報共有表示装置、端末装置、プログラムおよび情報共有表示システム、特に会議における参加者間にて情報共有するための情報共有表示装置、端末装置、プログラムおよび情報共有表示システムに関する。
【背景技術】
【０００２】
近年、会議においてプロジェクタを用いてプレゼン資料や各種データを大画面表示し、出席者間で情報共有することが一般化している。そして、出席者間の意見や出席者に付加された情報を情報共有するために、プロジェクタに加えて、各出席者の画像端末で表示および書き込み情報を共有する情報共有表示システムもある（例えば、特許文献１参照）。
【特許文献１】特開平４−１５４３９０号公報
【発明の開示】
【発明が解決しようとする課題】
【０００３】
このような情報共有表示システムにおいては、情報セキュリティ上の課題がある。特に、会議内容を外部に漏洩させないための情報セキュリティとして、認証された機器の間だけで情報の共有を行えることが必要となる。例えば、情報セキュリティを保つために、機器の認証に認証パスワードを利用する方法が考えられる。しかしながら、上述の認証パスワードによる機器の認証にあっては、認証パスワードを構成する文字を入力する必要があるので、出席者によっては、慣れない言語の文字を入力する場合には入力操作が容易でなく、入力ミスを起こし易い場合があるという問題がある。
また、会議毎に参加者の構成は異なるために、会議毎に当該会議の参加者のみを認証するには、例えば、会議毎に認証パスワードを変更し、その認証パスワードを認証機器を使用する会議参加者に周知させるといった作業が必要となる。このため、認証パスワードの管理も容易ではなく煩雑な作業となる。この認証パスワード管理の困難さの低減のため認証パスワードを変更しないと情報セキュリティ上の問題があった。
【０００４】
本発明は、このような事情に鑑みてなされたもので、その目的は、機器の認証において情報セキュリティを保ちつつ、入力操作が容易で、入力ミスを起こし難い情報共有表示装置、端末装置、プログラムおよび情報共有表示システムを提供することにある。
【課題を解決するための手段】
【０００５】
この発明は上述した課題を解決するためになされたもので、本発明の情報共有表示装置は、端末装置を認証し、認証した前記端末装置に情報共有用の画像を表示させる情報共有表示装置において、色または図形の少なくとも一方による認証パターンを指定する画像を表示する表示手段と、前記端末装置から認証情報を受信する認証情報受信手段と、前記認証情報と前記認証パターンを表す情報とから、前記端末装置にて前記認証パターンが入力されたか否かを判定することで、前記端末装置の認証可否を判定する認証照合手段とを具備することを特徴とする。
【０００６】
これにより情報共有表示装置は、認証パターンを色または図形の少なくとも一方としたので、認証パターンを容易に把握させ、端末装置における認証のための入力操作を容易にして、入力ミスを起こし難くすることができる。
【０００７】
また、本発明の情報共有表示装置は、上述の情報共有表示装置であって、前記認証情報は、音声データであり、前記認証照合手段は、前記音声データを音声認識した結果と前記認証パターンを表す情報とから、前記端末装置にて前記認証パターンが入力されたか否かを判定することで、前記端末装置の認証可否を判定することを特徴とする。
【０００８】
これにより情報共有表示装置は、端末装置における認証情報の入力を音声入力としたので、端末操作における認証のための入力操作を容易にし、入力ミスを起こし難くすることができる。
【０００９】
また、本発明の情報共有表示装置は、上述のいずれかの情報共有表示装置であって、前記認証パターンを表す情報を生成する認証パターン生成手段を具備することを特徴とする。
【００１０】
これにより情報共有表示装置は、認証を必要とする度に認証パターンを変更することができるので、優れたセキュリティを得ることができる。
【００１１】
また、本発明の情報共有表示装置は、上述の情報共有表示装置であって、認証情報を入力するための認証入力パターンを表す情報を、前記認証パターンを表す情報に基づき生成し、該認証入力パターンを表す情報を前記端末装置に送信する認証入力パターン送信手段を具備することを特徴とする。
【００１２】
また、本発明のプログラムは、端末装置を認証し、認証した前記端末装置に情報共有用の画像を表示させる情報共有表示装置が具備するコンピュータを、色または図形の少なくとも一方による認証パターンの入力を促す画像を表示する表示手段、前記端末装置から認証情報を受信する認証情報受信手段、前記認証情報と前記認証パターンを表す情報とから、前記端末装置にて前記認証パターンが入力されたか否かを判定することで、前記端末装置の認証可否を判定する認証照合手段として機能させる。
【００１３】
また、本発明の端末装置は、情報共有表示装置により認証されることにより、前記情報共有表示装置から受信した情報に基づき情報共有用の画像を表示する端末装置において、認証情報を入力するための画像である色または図形による認証入力パターンを表示する表示手段と、前記表示した認証入力パターンの部分の指定の入力を順次受け付け、受け付けた内容に応じた認証情報を生成する認証情報入力手段と、前記認証情報入力手段が生成した認証情報を、前記情報共有表示装置に送信する認証情報送信手段とを具備することを特徴とする。
【００１４】
これにより本発明の端末装置は、認証入力パターンの部分の指定を順次受け付けることで認証情報を生成するので、認証のための入力操作が容易になり、入力ミスを起こし難くすることができる。
【００１５】
また、本発明の端末装置は、上述の端末装置であって、前記認証入力パターンを表す情報を前記情報共有表示装置から受信する認証入力パターン受信手段を具備し、前記表示手段は、前記認証入力パターンを表す情報に基づき、前記認証入力パターンを表示することを特徴とする。
【００１６】
これにより端末装置は、認証の度に異なる認証パターンを表示することができ、優れたセキュリティを得ることができる。
【００１７】
また、本発明の端末装置は、上述のいずれかの端末装置であって、前記認証情報入力手段は、前記表示手段が認証入力パターンを表示する領域を検出領域に含むタッチパネルインターフェースを具備し、前記表示手段が表示させた認証入力パターンの表示領域のうち触れられた領域を順次検出し、この検出内容に基づき認証情報を生成することを特徴とする。
【００１８】
これにより本発明の端末装置は、認証入力パターンの部分の指定をタッチパネルにより順次受け付けることで認証情報を生成するので、認証のための入力操作が容易になり、入力ミスを起こし難くすることができる。
【００１９】
また、本発明の端末装置は、情報共有表示装置により認証されることにより前記情報共有表示装置から受信した情報に基づき情報共有用の画像を表示する端末装置において、前記情報共有表示装置が表示した色または図形による認証パターンに基づく音声の入力を受け付け、該受け付けた音声を音声認識して認証情報を生成する認証情報入力手段と、前記認証情報入力手段が生成した認証情報を、前記情報共有表示装置に送信する認証情報送信手段とを具備することを特徴とする。
【００２０】
これにより本発明の端末装置は、音声入力を受け付けることで認証情報を生成するので、認証のための入力操作が容易になり、入力ミスを起こし難くすることができる。
【００２１】
また、本発明のプログラムは、情報共有表示装置により認証されることにより前記情報共有表示装置から受信した情報に基づき情報共有用の画像を表示する端末装置が具備するコンピュータを、認証情報を入力するための画像である色または図形による認証入力パターンを表示する表示手段、前記表示された認証入力パターンの部分の指定の入力を順次受け付け、受け付けた内容に応じた認証情報を生成する認証情報入力手段、前記認証情報入力手段が生成した認証情報を、前記情報共有表示装置に送信する認証情報送信手段として機能させる。
【００２２】
また、本発明のプログラムは、情報共有表示装置により認証されることにより前記情報共有表示装置から受信した情報に基づき情報共有用の画像を表示する端末装置が具備するコンピュータを、前記情報共有表示装置が表示した色または図形による認証パターンに基づく音声の入力を受け付け、該受け付けた音声を音声認識して認証情報を生成する認証情報入力手段、前記認証情報入力手段が生成した認証情報を、前記情報共有表示装置に送信する認証情報送信手段として機能させる。
【００２３】
また、本発明の情報共有表示システムは、端末装置を認証し、認証した前記端末装置に情報共有用の画像を表示する情報共有表示装置と、前記端末装置とを具備する情報共有表示システムにおいて、前記情報共有表示装置は、色または図形の少なくとも一方による認証パターンを指定する画像を表示する表示手段と、前記端末装置から認証情報を受信する認証情報受信手段と、前記認証情報と前記認証パターンを表す情報とから、前記端末装置にて前記認証パターンが入力されたか否かを判定することで、前記他の情報共有表示装置の認証可否を判定する認証照合手段とを具備し、前記端末装置は、認証情報の入力を受け付ける認証情報入力手段と、前記認証情報入力手段が受け付けた認証情報を、前記情報共有表示装置に送信する認証情報送信手段とを具備することを特徴とする。
【発明を実施するための最良の形態】
【００２４】
以下、図面を参照して、本発明の実施の形態について説明する。図１は、この発明の一実施形態による情報共有表示システムの構成を説明する図である。本実施形態における情報共有表示システムは、会議における参加者間にて情報共有するためのシステムであり、情報共有表示装置１００と端末装置２０１、２０２、２０３とを具備する。情報共有表示装置１００は、会議の参加者全員から見ることができるように、情報共有のための画像をスクリーンに投写する。端末装置２０１、２０２、２０３は、情報共有表示装置１００から受信したデータに基づき、情報共有表示装置１００と同じ画像を表示する機能を備えており、会議の各参加者に１つずつ配布される。
【００２５】
図２は、情報共有表示装置１００と端末装置２０１との構成を示す概略ブロック図である。なお、端末装置２０２、２０３は、端末装置２０１と同じ構成であるため、図示および説明を省略する。情報共有表示装置１００は、認証パターン生成部１１０、表示データ生成部１２０、表示部１３０、認証入力パターン送信部１４０、認証情報受信部１５０、認証照合部１６０、無線通信部１７０を具備する。認証パターン生成部（認証パターン生成手段）１１０は、色または図形による認証パターンを表す情報を生成する。認証パターンについては、図４にて説明する。表示データ生成部（表示手段）１２０は、認証パターン生成部１１０が生成した認証パターンを会議の参加者に通知するための画像を生成し、表示部１３０に表示させる。表示部１３０は、表示データ生成部１２０の指示に従い、画像を表示させる。
【００２６】
認証入力パターン送信部（認証入力パターン送信手段）１４０は、認証情報を入力するための認証入力パターンを表す情報を、認証パターン生成部１１０が生成した認証パターンを表す情報に基づき生成し、該認証入力パターンを表す情報を、無線通信部１７０を介して端末装置２０１、２０２、２０３に送信する。認証情報受信部１５０は、無線通信部１７０を介して、端末装置２０１、２０２、２０３から認証情報を受信する。認証照合部１６０は、認証情報受信部１５０が受信した認証情報と認証パターン生成部１１０が生成した認証パターンを表す情報とから、認証情報の送信元の端末装置に認証可否を判定する。ここで、認証可否の判定は、受信した認証情報が、認証パターン通りの入力に基づくものであるか否か、すなわち認証情報と認証パターンを表す情報とが一致するか否かにより判定する。無線通信部１７０は、無線ＬＡＮ（Ｌｏｃａｌ  Ａｒｅａ  Ｎｅｔｗｏｒｋ）により、端末装置２０１、２０２、２０３と無線通信をする。
【００２７】
端末装置２０１は、認証入力パターン受信部２１０、表示データ生成部２２０、表示部２３０、認証情報入力部２４０、認証情報送信部２５０、無線通信部２６０を具備する。認証入力パターン受信部２１０は、認証情報を入力するための画像である認証入力パターンを表す情報を、無線通信部２６０を介して情報共有表示装置１００から受信する。表示データ生成部２２０は、認証入力パターン受信部２１０が受信した認証入力パターンを表す情報に基づき、認証入力パターンを表示部２３０に表示させる。表示部２３０は、表示データ生成部２２０からの指示に従い、画像を表示する。認証情報入力部２４０は、表示された認証入力パターンの部分の指定の入力を順次受け付け、受け付けた内容に応じた認証情報を生成する。本実施形態では、認証情報入力部２４０は、表示データ生成部２２０が表示部２３０に認証入力パターンを表示させる領域を検出領域に含むタッチパネルインターフェースを具備し、表示された認証入力パターンの表示領域のうち触れられた領域を順次検出し、この検出内容に基づき認証情報を生成する。認証情報入力部２４０による具体的な認証情報の生成方法は、図４にて説明する。認証情報送信部２５０は、認証情報入力部２４０が生成した認証情報を、無線通信部２６０を介して、情報共有表示装置１００に送信する。無線通信部２６０は、無線ＬＡＮにより情報共有表示装置１００と無線通信をする。
【００２８】
図３は、情報共有表示装置１００および端末装置２０１のハード構成を示す概略ブロック図である。情報共有表示装置１００は、ＣＰＵ（Ｃｅｎｔｒａｌ  Ｐｒｏｃｅｓｓｉｎｇ  Ｕｎｉｔ）１９１とＣＰＵ１９１にてそれぞれを制御可能なようにメインバス１９７にて接続されたＦｌａｓｈＲＯＭ（Ｒｅａｄ  Ｏｎｌｙ  Ｍｅｍｏｒｙ）１９２、ＲＡＭ（Ｒａｎｄｏｍ  Ａｃｃｅｓｓ  Ｍｅｍｏｒｙ）１９３、無線通信部１９４、投写表示部１９５、操作入力制御部１９６を具備する。ＣＰＵ１９１は、ＦｌａｓｈＲＯＭ１９２に格納されたプログラムに従い動作して、情報共有表示装置１００全体を制御する。ＦｌａｓｈＲＯＭ１９２は、ＣＰＵ１９１を動作させるプログラムおよびデータを格納する。ＲＡＭ１９３は、ＣＰＵ１９１が動作するためのワークメモリである。無線通信部１９４は、無線ＬＡＮにより、端末装置２０１、２０２、２０３と無線通信する。投写表示部１９５は、ＣＰＵ１９１の指示に従った画像を、本情報共有表示装置１００の前方に設置されたスクリーン等に投写する。操作入力制御部１９６は、操作ボタンおよびその制御部であり、本情報共有表示装置１００を操作するための入力装置である。
【００２９】
端末装置２０１は、ＣＰＵ２９１とＣＰＵ２９１にてそれぞれを制御可能なようにメインバス２９８にて接続されたＦｌａｓｈＲＯＭ２９２、ＲＡＭ２９３、無線通信部２９４、ＬＣＤ（Ｌｉｑｕｉｄ  Ｃｒｙｓｔａｌ  Ｄｉｓｐｌａｙ）表示部２９５、タッチパネル入力部２９６、音声入力部２９７を具備する。ＣＰＵ２９１は、ＦｌａｓｈＲＯＭ２９２に格納されたプログラムに従い動作して、端末装置２０１全体を制御する。ＦｌａｓｈＲＯＭ２９２は、ＣＰＵ２９１を動作させるプログラムおよびデータを格納する。ＲＡＭ２９３は、ＣＰＵ２９１が動作するためのワークメモリである。無線通信部２９４は、無線ＬＡＮにより、情報共有表示装置１００と無線通信する。ＬＣＤ表示部２９５は、ＣＰＵ２９１の指示に従った画像を表示する。タッチパネル入力部２９６は、ＬＣＤ表示部２９５の表示領域を検出範囲とするタッチパネルとその制御部であり、本端末装置２０１を操作するための入力装置である。音声入力部２９７は、音声を電気信号に変換するマイクとその制御部であり、本端末装置２０１を操作するための入力装置である。
【００３０】
本実施形態の情報共有表示装置１００は、ＣＰＵ１９１がＦｌａｓｈＲＯＭ１９２に記録されているプログラムを読み取って、図２に示した認証パターン生成部１１０、表示データ生成部１２０、表示部１３０、認証入力パターン送信部１４０、認証情報受信部１５０、認証照合部１６０、無線通信部１７０の各部の処理を行う。本実施形態の端末装置２０１は、ＣＰＵ２９１がＦｌａｓｈＲＯＭ２９２に記録されているプログラムを読み取って、図２に示した認証入力パターン受信部２１０、表示データ生成部２２０、表示部２３０、認証情報入力部２４０、認証情報送信部２５０、無線通信部２６０の各部の処理を行う。
【００３１】
なお、本実施形態において、認証情報入力部２４０における認証情報の入力の受け付けは、タッチパネル入力部２９６が具備するタッチパネルを用いるとして説明しているが、このタッチパネルに替えて、音声入力部２９７が具備するマイクにより音声の入力を受け付け、これを認証情報入力部２４０が音声認識して認証情報を生成するようにしてもよい。また、認証情報入力部２４０では音声認識せずに、音声入力部２９７が生成した音声データを認証情報送信部２５０が無線通信部２６０を介して、情報共有表示装置１００に送信し、これを受信した情報共有表示装置１００の認証情報受信部１５０が音声認識をして認証情報を生成するようにしてもよい。
【００３２】
図４の（ａ）は、本実施形態における情報共有表示装置１００が投写して表示させる認証パターンを指定する画像の例である。表示データ生成部１２０は、認証パターン生成部１１０が生成した認証パターン（図４（ａ）では、「赤い四角形Ｐ１、白い三角形Ｐ２、白い星形Ｐ３、白い円形Ｐ４、黒い四角形Ｐ５」）を表す情報に基づき、図４（ａ）に例示する、「赤い四角形Ｐ１、白い三角形Ｐ２、白い星形Ｐ３、白い円形Ｐ４、黒い四角形Ｐ５」からなる認証パターンと、認証パターンの入力を促す文「下記の認証パターンを順に指示して下さい」とからなる画像Ｄ１のような、認証パターンを指定する画像を生成し、表示部１３０に表示させる。ここで、認証パターンは、端末装置２０１〜２０３を使用するユーザが、認証のための入力情報を色または図形にて指定した画像であり、本実施形態では、図４（ａ）に示した「赤い四角形Ｐ１、白い三角形Ｐ２、白い星形Ｐ３、白い円形Ｐ４、黒い四角形Ｐ５」のような５つの色付きの図形からなり、この認証パターンを表す情報は、「赤い四角形、白い三角形、白い星形、白い円形、黒い四角形」である。
【００３３】
図４の（ｂ）は、本実施形態における端末装置２０１が表示する認証入力パターンの例である。認証入力パターン受信部２１０が受信した認証入力パターン（図４（ｂ）では、「青い四角形Ｐ６、茶色い四角形Ｐ７、赤い四角形Ｐ８、白い四角形Ｐ９、黒い四角形Ｐ１０、白い円形Ｐ１１、ばつ形Ｐ１２、白い三角形Ｐ１３、黄色い四角形Ｐ１４、白い星形Ｐ１５」）を表す情報に基づき、表示データ生成部２２０は、認証入力パターン（画像Ｄ２）と認証情報の入力領域Ｄ３とを表示部２３０に表示させる。図４（ａ）に例示した認証パターンを指定する画像を参照して、ユーザがタッチペン３００を用いて、認証入力パターンの画像Ｄ２の中から、認証パターンに一致する画像を順に指示すると、認証情報入力部２４０が、これを順次受け付けて、認証情報を生成する。図４（ｂ）に例示した画像では、認証パターンのうち、赤い四角形と白い三角形との指示を認証情報入力部２４０が受け付けて生成した認証情報「赤い四角形、白い三角形」を表す画像（赤い四角形Ｐ１６、白い三角形Ｐ１７）を認証情報の入力領域Ｄ３に、表示データ生成部２２０が表示部２３０に表示させている。ここで、認証情報とは、認証のためのユーザによる入力内容を表す情報であり、図４（ｂ）の例では「赤い四角形、白い三角形」である。
【００３４】
図５は、本実施形態における情報共有表示装置１００の動作を説明するフローチャートである。まず、認証パターン生成部１１０が認証パターンを表す情報を生成し、これを受けて認証入力パターン送信部１４０が認証入力パターンを表す情報を生成する（Ｓａ１）。認証入力パターン送信部１４０は、生成した認証入力パターンを表す情報を、無線通信部１７０を介して、端末装置２０１、２０２、２０３に送信する（Ｓａ２）。次に、表示データ生成部１２０が、認証パターン生成部１１０が生成した認証パターンを指定する画像を生成し、表示部１３０に表示させる（Ｓａ３）。認証情報受信部１５０は、端末装置２０１、２０２、２０３からの認証情報を受信すると（Ｓａ４）、認証照合部１６０は、受信した認証情報と認証パターン生成部１１０が生成した認証パターンとが一致するか否かを判定する（Ｓａ５）。
【００３５】
このステップＳａ５の判定にて一致しない端末装置が存在したときは、ステップＳａ１に遷移して、上述の動作を繰り返す。一方、このステップＳａ５の判定にて全ての端末装置について一致したときは、認証照合部１６０は、認証した旨を各端末装置に送信し、情報共有のための処理であるステップＳａ６に遷移する。ステップＳａ６では、情報共有する画像の表示データを端末装置２０１、２０２、２０３と互いに送受信する（Ｓａ６）。表示データ生成部１２０は、ステップＳａ６にて各端末装置から受信した表示データと送信した表示データとを合成した表示データを生成する（Ｓａ７）。表示部１３０は、ステップＳａ７にて生成した表示データを投写して表示させる（Ｓａ８）。次に、表示データ生成部１２０は、情報共有のための処理の終了判定を行い、終了指示がなければ、ステップＳａ６に戻って、情報共有のための処理を繰り返し（Ｓａ９）、終了指示があれば終了する（Ｓａ９）。
【００３６】
なお、本実施形態においては、ステップＳａ５の認証照合部１６０による判定にて、全ての端末装置の認証情報が認証パターンと一致したときは、ステップＳａ６に遷移するとして説明したが、一致しない端末装置があった場合でも、ステップＳａ６に遷移して、ステップＳａ５にて一致したと判定された端末装置についてのみ、ステップＳａ６の表示データの送受信を行うようにしてもよい。さらに、ステップＳａ５の判定にて一致しないと判定された端末装置について、ステップＳａ１からステップＳａ５の処理を繰返して、ステップＳａ５の判定にて一致したときに、該端末装置をステップＳａ６における送受信の対象とするようにしてもよい。
【００３７】
図６は、本実施形態における端末装置２０１の動作を説明するフローチャートである。まず、認証入力パターン受信部２１０が情報共有表示装置１００からの認証入力パターンを表す情報を受信すると（Ｓｂ１）、表示データ生成部２２０がこの認証入力パターンを表す情報に基づき、認証入力パターンを表示部２３０に表示させる（Ｓｂ２）。ユーザがタッチペン３００で表示部２３０が表示した認証入力パターンの中の画像を選択指示すると、この選択指示を認証情報入力部２４０が順次受け付け、受け付けた内容に応じた認証情報を生成する（Ｓｂ３）。認証情報送信部２５０は、認証情報入力部２４０が生成した認証情報を情報共有表示装置１００に送信する（Ｓｂ４）。表示データ生成部２２０は、認証した旨を情報共有表示装置１００から受信すると、認証されたと判定して（Ｓｂ５）、情報共有のための処理であるステップＳｂ６に遷移する。一方、一定時間、認証した旨を情報共有表示装置１００から受信しなかったときは、認証されなかったと判定して（Ｓｂ５）、ステップＳｂ１に戻って、上述の処理を繰り返す。
【００３８】
ステップＳｂ６では、表示データ生成部２２０が無線通信部２６０を介して、情報共有表示装置１００と情報共有する画像の表示データの送受信を行う（Ｓｂ６）。次に、表示データ生成部２２０は、受信した表示データと送信した表示データとを合成して、表示する画像の表示データを生成し（Ｓｂ７）、この表示データを表示部２３０に表示させる（Ｓｂ８）。次に、表示データ生成部２２０は、情報共有のための処理の終了判定を行い、終了指示がなければ、ステップＳｂ６に戻って、情報共有のための処理を繰り返し（Ｓｂ９）、終了指示があれば終了する（Ｓｂ９）。
このように、認証パターンを色または図形にすることで、ユーザにとって直感的に操作可能となり、またキーボードのような操作に慣れが必要な入力装置を使用せずに済むため、ユーザにとって入力操作が容易であり、入力ミスを起こし難いという効果が得られる。
【００３９】
図７は、上述の実施形態による情報共有表示システムの変形例１である。本変形例１では、上記実施形態における情報共有表示装置１００の機能を、ノートＰＣ７００にてプログラムを動作させることで実現する。ただし、情報共有表示装置１００の投写表示部１９５が投写して表示させていた内容は、ノートＰＣ７００の液晶画面に表示させる、あるいは、ノートＰＣ７００に接続したプロジェクタに投写して表示させるようにしている。また、端末装置２０１、２０２、２０３の機能は、ＰＤＡ（Ｐｅｒｓｏｎａｌ  Ｄｉｇｉｔａｌ  Ａｓｓｉｓｔａｎｃｅ）などの携帯型端末装置７０１、７０２、７０３にてプログラムを動作させることで実現する。
【００４０】
図８は、上述の実施形態による情報共有表示システムの変形例２である。本変形例２では、上記実施形態における端末装置２０１の機能を、携帯型端末装置７０１にてプログラムを動作させることで実現し、端末装置２０２の機能を、ＬＣＤ表示部２９５に替えてヘッドマウントディスプレイを備えた頭部装着型端末装置８０１にてプログラムを動作せることで実現する。このとき、頭部装着型端末装置８０１は、タッチパネル入力部２９６を具備せず、音声入力部２９７を具備し、認証情報入力部２４０は、タッチパネル入力部２９６によるタッチパネルを用いた認証情報の入力に替えて、音声入力部２９７によるマイクを用いた音声の入力と該音声を音声認識することによる認証情報の入力を行なう。
なお、全ての端末装置において、認証情報の入力を音声入力部２９７にて行う場合は、端末装置において認証入力パターンの受信および表示を省略し、情報共有表示装置１００において認証入力パターンの生成および送信を省略することができる。
【００４１】
図９は、上述の実施形態による情報共有表示システムの変形例３である。本変形例３では、上記実施形態における情報共有表示装置１００の機能を、ＰＤＡなどの携帯型情報共有表示装置９００にてプログラムを動作させることで実現する。ただし、情報共有表示装置１００の投写表示部１９５が投写して表示させていた内容は、携帯型情報共有表示装置９００の液晶画面に表示させる。
【００４２】
また、図２における認証パターン生成部１１０、表示データ生成部１２０、表示部１３０、認証入力パターン送信部１４０、認証情報受信部１５０、認証照合部１６０、無線通信部１７０、認証入力パターン受信部２１０、表示データ生成部２２０、表示部２３０、認証情報入力部２４０、認証情報送信部２５０、無線通信部２６０の機能を実現するためのプログラムをコンピュータ読み取り可能な記録媒体に記録して、この記録媒体に記録されたプログラムをコンピュータシステムに読み込ませ、実行することによりこれらの各部の処理を行ってもよい。なお、ここでいう「コンピュータシステム」とは、ＯＳや周辺機器等のハードウェアを含むものとする。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４５】
本発明は、会議における参加者間にて情報共有するために、プロジェクタなどの大型画面と各参加者の端末とに共有する情報を表示する情報共有表示システムに用いて好適である。
【図面の簡単な説明】
【００４６】
【図１】この発明の一実施形態による情報共有表示システムの構成を説明する図である。
【図２】同実施形態における情報共有表示装置１００と端末装置２０１との構成を示す概略ブロック図である。
【図３】同実施形態における情報共有表示装置１００および端末装置２０１のハード構成を示す概略ブロック図である。
【図４】同実施形態における認証パターンを指定する画像の例および認証入力パターンの例である。
【図５】同実施形態における情報共有表示装置１００の動作を説明するフローチャートである。
【図６】同実施形態における端末装置２０１の動作を説明するフローチャートである。
【図７】同実施形態による情報共有表示システムの変形例１である。
【図８】同実施形態による情報共有表示システムの変形例２である。
【図９】同実施形態による情報共有表示システムの変形例３である。
【符号の説明】
【００４７】
１００…情報共有表示装置  １１０…認証パターン生成部  １２０、２２０…表示データ生成部  １３０、２３０…表示部  １４０…認証入力パターン送信部  １５０…認証情報受信部  １６０…認証照合部  １７０、２６０…無線通信部  １９１、２９１…ＣＰＵ  １９２、２９２…ＦｌａｓｈＲＯＭ  １９３、２９３…ＲＡＭ  １９４、２９４…無線通信部  １９５…投写表示部  １９６…操作入力制御部  １９７、２９８…メインバス  ２０１、２０２、２０３…端末装置  ２１０…認証入力パターン受信部  ２４０…認証情報入力部  ２５０…認証情報送信部  ２９５…ＬＣＤ表示部  ２９６…タッチパネル入力部  ２９７…音声入力部  ３００…タッチペン  ７００…ノートＰＣ  ７０１、７０２、７０３…携帯型端末装置  ８０１…頭部装着型端末装置  ９００…携帯型情報共有表示装置
【図１】
2008197977.tif 000003
【図２】
2008197977.tif 000004
【図３】
2008197977.tif 000005
【図４】
2008197977.tif 000006
【図５】
2008197977.tif 000007
【図６】
2008197977.tif 000008
【図７】
2008197977.tif 000009
【図８】
2008197977.tif 000010
【図９】
2008197977.tif 000011